(57)【要約】有線テレビジョン（ＣＡＴＶ）ネットワーク・インターフェイスを含み、セルラ電話ネットワーク内で動作する基地局トランシーバ・システム（ＢＴＳ）からＣＡＴＶネットワークを介して下流の中間周波数（ＩＦ）で伝送される下流のセルラ電話通信信号を受信するようにＣＡＴＶネットワークに接続されることに適合した、電話装置。この装置は実接続を介してセルラ電話ネットワーク内で動作するセルラ電話機に接続されることに適合した、電話機インターフェイスを含む。この装置はまた、ＣＡＴＶネットワーク・インターフェイスを介して下流のＩＦで受信された下流の通信信号を、セルラ電話ネットワークと両立する下流の無線周波数（ＲＦ）セルラ電話信号に変換するように適合され、そして下流のＲＦセルラ電話信号を実接続を介してセルラ電話機に伝達するように適合された信号変換回路を含む。
2005526424.tif 000002
【特許請求の範囲】
【請求項１】
セルラ電話ネットワーク内で動作する基地局トランシーバ・システム（ＢＴＳ）から有線テレビジョン(ＣＡＴＶ)ネットワークを介して下流の中間周波数（ＩＦ）で伝送された下流のセルラ電話通信信号を受信するように、ＣＡＴＶネットワークに接続されるように適合されたＣＡＴＶネットワーク・インターフェイス、
実接続を介してセルラ電話ネットワーク内で動作するセルラ電話機に接続するように適合された電話機インターフェイス、および
ＣＡＴＶネットワーク・インターフェイスを介して下流のＩＦで受信された下流の通信信号をセルラ電話ネットワークと両立する下流の無線周波数（ＲＦ）セルラ電話信号に変換するように適合され、かつ下流のＲＦセルラ電話信号を実接続を介してセルラ電話機に伝達するように適合された信号変換回路を具備する電話装置。
【請求項２】
信号変換回路は電話機インターフェイスを介してセルラ電話機から上流のＲＦセルラ電話信号を受信し、上流のＲＦ信号を上流のＩＦ信号に変換し、かつ上流のＩＦ信号をＣＡＴＶネットワーク・インターフェイスを介して上流に伝達するように適合された、請求項1記載の装置。
【請求項３】
ＢＴＳは上流のＲＦセルラ電話信号を回復するように上流のＩＦ信号を受信して変換する、請求項２記載の装置。
【請求項４】
上流のＲＦセルラ電話信号を回復するように上流のＩＦ信号を受信して変換し、かつ回復された上流のＲＦセルラ電話信号をＢＴＳに伝達するコンバータを具備する、請求項２記載の装置。
【請求項５】
上流のＩＦ信号は複数の上流のＩＦ搬送波の１つで伝送され、信号変換回路は上流のＲＦセルラ電話信号を上流のＩＦ搬送波の１つに変換するように適合された、請求項２記載の装置。
【請求項６】
信号変換回路は、
上流のＩＦ信号を発生する上流のＩＦ増幅器、および 
上流のＩＦ信号のレベルを測定するように適合された上流のＩＦ信号検出器を具備し、増幅器の利得は上流の閾値境界を越えるのを避けるように設定される、請求項２記載の装置。
【請求項７】
下流のＩＦ信号は複数の下流のＩＦ搬送波を具備し、信号変換回路は下流のＩＦ搬送波の１つを下流のＲＦセルラ電話信号に変換するように適合された、請求項１記載の装置。
【請求項８】
ＢＴＳはセルラ電話ネットワークから受信された下流のセルラＲＦ信号を下流のＩＦに変換する、請求項１記載の装置。
【請求項９】
セルラ電話ネットワークから受信された下流のセルラＲＦ信号を受信して下流のＩＦに変換するコンバータを具備する、請求項１記載の装置。
【請求項１０】
セルラ電話ネットワークは、イーサネット（登録商標）・ネットワーク、公衆電話交換ネットワーク(ＰＳＴＮ)、およびインターネット・ネットワークの少なくとも１つに連結される、請求項１記載の装置。
【請求項１１】
装置がセルラ電話機として動作することを可能にするように、電話機インターフェイスに連結されたラウドスピーカ、マイクロフォンおよびキーパッドを具備する、請求項１記載の装置。
【請求項１２】
電話機インターフェイスに連結され、コンピュータと電話機インターフェイスとの間で信号を伝達するように適合されたコントローラを具備する、請求項１記載の装置。
【請求項１３】
電話機インターフェイスに連結され、下流のＲＦ信号を電話機インターフェイスから物理的に切断された移動セルラ電話機に放射し、移動セルラ電話機から上流のＲＦ信号を受信するように適合されたアンテナを具備し、信号変換回路は上流のＲＦ信号を受信して上流のＩＦ信号に変換するように適合され、ＣＡＴＶネットワーク・インターフェイスは上流のＩＦ信号を上流に伝達するように適合された、請求項１記載の装置。
【請求項１４】
電話機インターフェイスに連結され、下流のＲＦ信号を放射するように適合されたアンテナを具備し、電話機インターフェイスはセルラ電話機から物理的に切断され、かつ電話機インターフェイスから切断された時にアンテナを介してセルラ電話機と通信するように適合された、請求項１記載の装置。
【請求項１５】
信号変換回路はセルラ電話機が電話機インターフェイスから切断された時に、アンテナから放射された下流のＲＦ信号のレベルを前もってセットされたレベルに設定するように適合された、請求項１４記載の装置。
【請求項１６】
高速データＲＦセルラ信号を伝達し、かつ高速データ実接続を介してセルラ電話ネットワーク内で動作する高速データ・セルラ電話機に接続するように適合された高速データ電話機インターフェイス、および
高速データＲＦセルラ信号を信号変換回路から電話機インターフェイスに、および下流のＲＦセルラ電話信号を信号変換回路から電話機インターフェイスに伝達するように適合された分割器／結合器を具備する、請求項１記載の装置。
【請求項１７】
電話機インターフェイスに連結され、かつ装置がビデオ電話機として動作するようにビデオ・カメラと通信するように適合されたコントローラを具備する、請求項１記載の装置。
【請求項１８】
ＰＳＴＮインターフェイスと電話機インターフェイスとを介してＰＳＴＮ電話呼を発信および受信するようにＰＳＴＮネットワークを電話機インターフェイスに連結するＰＳＴＮインターフェイスを具備する、請求項１記載の装置。
【請求項１９】
ＰＳＴＮインターフェイスはＰＳＴＮ電話機に連結され、かつＰＳＴＮインターフェイスはＰＳＴＮ電話機がセルラ電話呼を発信および受信することを可能にするように適合された、請求項１８記載の装置。
【請求項２０】
ＰＳＴＮインターフェイスはセルラ電話呼の間ＰＳＴＮ電話機にＰＳＴＮ呼の受信を示すように適合された、請求項１９記載の装置。
【請求項２１】
ＰＳＴＮインターフェイスはＰＳＴＮ電話呼の間セルラ電話呼の受信を示すように適合された、請求項１８記載の装置。
【請求項２２】
ＰＳＴＮインターフェイスはＰＳＴＮ―ライン―イン・インターフェイスとＰＳＴＮ―ライン―アウト・インターフェイスとを具備し、ＣＡＴＶネットワーク・インターフェイス、電話機インターフェイス、信号変換回路、およびＰＳＴＮ―ライン―アウト・インターフェイスはコンソール内に収容され、ＰＳＴＮ―ライン―イン・インターフェイスはコンソールとは分離して収容される、請求項１８記載の装置。
【請求項２３】
セルラ電話ネットワークはセッション開始プロトコル(ＳＩＰ)電話機と通信するように適合され、電話機インターフェイスがＳＩＰゲートウェイとして作動することを可能にするＳＩＰ回路を具備する、請求項１記載の装置。
【請求項２４】
ＳＩＰ電話機がＰＳＴＮネットワークに連結されたＰＳＴＮ電話機と通信できるように、ＰＳＴＮネットワークを電話機インターフェイスに連結するＰＳＴＮインターフェイスを具備する、請求項２３記載の装置。
【請求項２５】
ＳＩＰ回路はセルラ電話機とＳＩＰ電話機とが通信することを可能にするように適合された、請求項２３記載の装置。
【請求項２６】
ＳＩＰ回路は、代替のＳＩＰ電話機がＳＩＰ呼を発信および受信することを可能にするように、電話機インターフェイスに接近して配置された代替のＳＩＰ電話機と通信するように適合された、請求項２３記載の装置。
【請求項２７】
信号変換回路は、
下流のＲＦセルラ電話信号を発生する下流のＲＦ増幅器、および
下流のＲＦセルラ電話信号のレベルを測定するように適合された下流のＲＦ信号検出器を具備し、増幅器の利得は、レベルが前もってセットされた値に相当するようなレベルに応じて設定される、請求項１記載の装置。
【請求項２８】
下流のセルラ電話通信信号は広ＩＦ搬送波で伝送され、信号変換回路は広ＩＦ搬送波を受信し、かつセルラ電話機から受信された上流のＲＦ信号に応じて信号変換回路により発生された、上流のＩＦセルラ電話信号を広ＩＦ搬送波で伝送するように適合された、請求項１記載の装置。
【請求項２９】
下流のセルラ電話通信信号は広ＩＦ搬送波で伝送され、信号変換回路は広ＩＦ搬送波を受信し、かつセルラ電話機から受信された上流のＲＦ信号に応じて信号変換回路により発生された、上流のＩＦセルラ電話信号を広ＩＦ搬送波内に構成された複数の狭ＩＦ搬送波の１つで伝送するように適合され、１つの狭ＩＦ搬送波は複数からランダムに選択される、請求項１記載の装置。
【請求項３０】
下流のセルラ電話通信信号は広ＩＦ搬送波内に構成された複数の狭ＩＦ搬送波からランダムに選択された狭ＩＦ搬送波で伝送され、信号変換回路は狭ＩＦ搬送波を受信し、かつセルラ電話機から受信された上流のＲＦ信号に応じて信号変換回路により発生された、上流のＩＦセルラ電話信号を、狭ＩＦ搬送波で伝送するように適合された、請求項１記載の装置。
【請求項３１】
ＣＡＴＶネットワーク・インターフェイスを介して下流のＩＦで受信された下流のセルラ電話通信信号を下流のベースバンド電話信号に変換するように適合され、ＩＦベースバンド・コンバータで受信された上流のベースバンド信号を上流のＩＦで上流のセルラ電話通信信号に変換し、かつ上流のセルラ電話通信信号を上流のＩＦでＣＡＴＶネットワーク・インターフェイスを介してＢＴＳに伝送するようにさらに適合されたＩＦベースバンド・コンバータを具備する、請求項１記載の装置。
【請求項３２】
セルラ電話ネットワーク内で動作する基地局トランシーバ・システム（ＢＴＳ）から有線テレビジョン(ＣＡＴＶ)ネットワークを介して下流の中間周波数（ＩＦ）で伝送された下流のセルラ電話通信信号を受信するように、ＣＡＴＶネットワーク・インターフェイスをＣＡＴＶネットワークに連結し、
実接続を介して電話機インターフェイスをセルラ電話ネットワーク内で動作するセルラ電話機に接続し、
信号変換回路において下流のＩＦで下流の通信信号を受信し、
信号変換回路において下流の通信信号をセルラ電話ネットワークと両立する下流の無線周波数（ＲＦ）セルラ電話信号に変換し、および
実接続を介して下流のＲＦセルラ電話信号をセルラ電話機に伝達することを含む、電話信号を転送するための方法。
【請求項３３】
信号変換回路は電話機インターフェイスを介してセルラ電話機から上流のＲＦセルラ電話信号を受信し、上流のＲＦ信号を上流のＩＦ信号に変換し、ＣＡＴＶネットワーク・インターフェイスを介して上流のＩＦ信号を上流に伝達するように適合された、請求項３２記載の方法。
【請求項３４】
ＢＴＳは上流のＲＦセルラ電話信号を回復するように上流のＩＦ信号を受信して変換する、請求項３３記載の方法。
【請求項３５】
上流のＲＦセルラ電話信号を回復するように上流のＩＦ信号を受信して変換し、回復された上流のＲＦセルラ電話信号をＢＴＳに伝達することを含む、請求項３３記載の方法。
【請求項３６】
上流のＩＦ信号は複数の上流のＩＦ搬送波の１つで伝送され、信号変換回路は上流のＲＦセルラ電話信号を上流のＩＦ搬送波の１つに変換するように適合された、請求項３３記載の方法。
【請求項３７】
信号変換回路は、
上流のＩＦ信号を発生する上流のＩＦ増幅器、および 
上流のＩＦ信号のレベルを測定するように適合された上流のＩＦ信号検出器を具備し、増幅器の利得は上流の閾値境界を越えるのを避けるように設定される、請求項３３記載の方法。
【請求項３８】
下流のＩＦ信号は複数の下流のＩＦ搬送波を具備し、信号変換回路は下流のＩＦ搬送波の１つを下流のＲＦセルラ電話信号に変換するように適合された、請求項３２記載の方法。
【請求項３９】
ＢＴＳはセルラ電話ネットワークから受信された下流のセルラＲＦ信号を下流のＩＦに変換する、請求項３２記載の方法。
【請求項４０】
セルラ電話ネットワークから受信された下流のセルラＲＦ信号を受信して下流のＩＦに変換するコンバータを提供することを含む、請求項３２記載の方法。
【請求項４１】
セルラ電話ネットワークは、イーサネット（登録商標）・ネットワーク、公衆電話交換ネットワーク(ＰＳＴＮ)、およびインターネット・ネットワークの少なくとも１つに連結される、請求項３２記載の方法。
【請求項４２】
ＣＡＴＶインターフェイス、電話機インターフェイス、および信号変換回路がセルラ電話機として動作することを可能にするように、ラウドスピーカ、マイクロフォンおよびキーパッドを電話機インターフェイスに連結することを含む、請求項３２記載の方法。
【請求項４３】
コンピュータと電話機インターフェイスとの間で信号を伝達するように適合されたコントローラを電話機インターフェイスに連結することを含む、請求項３２記載の方法。
【請求項４４】
アンテナを電話機インターフェイスに連結し、
下流のＲＦ信号を電話機インターフェイスから物理的に切断された移動セルラ電話機に、アンテナから放射し、
移動セルラ電話機からの上流のＲＦ信号をアンテナで受信し、
信号変換回路内で上流のＲＦ信号を上流のＩＦ信号に変換し、および
上流のＩＦ信号をＣＡＴＶネットワーク・インターフェイスを介して上流に伝達することを含む、請求項３２記載の方法。
【請求項４５】
下流のＲＦ信号を放射するように適合されたアンテナを電話機インターフェイスに連結し、
電話機インターフェイスをセルラ電話機から物理的に切断し、および
電話機インターフェイスから切断された時にアンテナを介してセルラ電話機と通信することを含む、請求項３２記載の方法。
【請求項４６】
信号変換回路はセルラ電話機が電話機インターフェイスから切断された時にアンテナから放射された下流のＲＦ信号のレベルを前もってセットされたレベルに設定するように適合された、請求項４５記載の方法。
【請求項４７】
高速データ電話機インターフェイスを介して高速データＲＦセルラ信号を伝達し、
高速データ実接続を介して高速データ電話機インターフェイスをセルラ電話ネットワーク内で動作する高速データ・セルラ電話機に接続し、および
高速データＲＦセルラ信号を信号変換回路から高速データ電話機インターフェイスに伝達し、かつ下流のＲＦセルラ電話信号を信号変換回路から電話機インターフェイスに伝達するように適合された分割器／結合器を提供することを含む、請求項３２記載の方法。
【請求項４８】
コントローラを電話機インターフェイスに連結し、ビデオ電話機として動作するようにコントローラとビデオ・カメラとの間で通信することを含む、請求項３２記載の方法。
【請求項４９】
ＰＳＴＮインターフェイスと電話機インターフェイスとを介してＰＳＴＮ電話呼を発信および受信するように、ＰＳＴＮインターフェイスを介してＰＳＴＮネットワークを電話機インターフェイスに連結することを含む、請求項３２記載の方法。
【請求項５０】
ＰＳＴＮインターフェイスはＰＳＴＮ電話機に連結され、ＰＳＴＮインターフェイスはＰＳＴＮ電話機がセルラ電話呼を発信および受信することを可能にするように適合された、請求項４９記載の方法。
【請求項５１】
ＰＳＴＮインターフェイスはセルラ電話呼の間ＰＳＴＮ電話機にＰＳＴＮ呼の受信を示すように適合された、請求項５０記載の方法。
【請求項５２】
ＰＳＴＮインターフェイスはＰＳＴＮ電話呼の間セルラ電話呼の受信を示すように適合された、請求項４９記載の方法。
【請求項５３】
ＰＳＴＮインターフェイスはＰＳＴＮ―ライン―イン・インターフェイスとＰＳＴＮ―ライン―アウト・インターフェイスとを具備し、ＣＡＴＶネットワーク・インターフェイス、電話機インターフェイス、信号変換回路、およびＰＳＴＮ―ライン―アウト・インターフェイスはコンソール内に収容され、ＰＳＴＮ―ライン―イン・インターフェイスはコンソールとは分離して収容される、請求項４９記載の方法。
【請求項５４】
セルラ電話ネットワークはセッション開始プロトコル(ＳＩＰ)電話機と通信するように適合され、電話機インターフェイスがＳＩＰゲートウェイとして作動することを可能にするＳＩＰ回路を提供することを含む、請求項３２記載の方法。
【請求項５５】
ＳＩＰ電話機がＰＳＴＮネットワークに連結されたＰＳＴＮ電話機と通信できるように、ＰＳＴＮネットワークをＰＳＴＮインターフェイスを介して電話機インターフェイスに連結することを含む、請求項５４記載の方法。
【請求項５６】
ＳＩＰ回路はセルラ電話機とＳＩＰ電話機とが通信することを可能にするように適合される、請求項５４記載の方法。
【請求項５７】
ＳＩＰ回路は、代替のＳＩＰ電話機がＳＩＰ呼を発信および受信することを可能にするように、電話機インターフェイスに接近して配置された代替のＳＩＰ電話機と通信するように適合された、請求項５４記載の方法。
【請求項５８】
信号変換回路は、
下流のＲＦセルラ電話信号を発生する下流のＲＦ増幅器、および
下流のＲＦセルラ電話信号のレベルを測定するように適合された下流のＲＦ信号検出器を具備し、増幅器の利得は、レベルが前もってセットされた値に相当するようなレベルに応じて設定される、請求項３２記載の方法。
【請求項５９】
下流のセルラ電話通信信号は広ＩＦ搬送波で伝送され、信号変換回路は広ＩＦ搬送波を受信し、かつセルラ電話機から受信された上流のＲＦ信号に応じて信号変換回路により発生された、上流のＩＦセルラ電話信号を広ＩＦ搬送波で伝送するように適合された、請求項３２記載の方法。
【請求項６０】
下流のセルラ電話通信信号は広ＩＦ搬送波で伝送され、信号変換回路は広ＩＦ搬送波を受信し、かつセルラ電話機から受信された上流のＲＦ信号に応じて信号変換回路により発生された、上流のＩＦセルラ電話信号を広ＩＦ搬送波内に構成された複数の狭ＩＦ搬送波の１つで伝送するように適合され、１つの狭ＩＦ搬送波は複数からランダムに選択される、請求項３２記載の方法。
【請求項６１】
下流のセルラ電話通信信号は広ＩＦ搬送波内に構成された複数の狭ＩＦ搬送波からランダムに選択された狭ＩＦ搬送波で伝送され、信号変換回路は狭ＩＦ搬送波を受信し、かつセルラ電話機から受信された上流のＲＦ信号に応じて信号変換回路により発生された、上流のＩＦセルラ電話信号を狭ＩＦ搬送波で伝送するように適合された、請求項３２記載の方法。
【請求項６２】
ＣＡＴＶネットワーク・インターフェイスを介して下流のＩＦで受信された下流のセルラ電話通信信号をＩＦベースバンド・コンバータ内で下流のベースバンド電話信号に変換し、
ＩＦベースバンド・コンバータで受信された上流のベースバンド信号を上流のＩＦで上流のセルラ電話通信信号に変換し、および
ＣＡＴＶネットワーク・インターフェイスを介して上流のセルラ電話通信信号を上流のＩＦでＢＴＳに伝送することをさらに含む、請求項３２記載の方法。
【請求項６３】
セルラ電話ネットワーク内で動作する基地局トランシーバ・システム（ＢＴＳ）から有線テレビジョン(ＣＡＴＶ)ネットワークを介して下流の中間周波数（ＩＦ）で伝送された下流のセルラ電話通信信号を受信するように、ＣＡＴＶネットワークに接続されるように適合された、ＣＡＴＶネットワーク・インターフェイス、
ベースバンド電話信号を送受信するように適合された、ベースバンド・トランシーバ、および
実接続を介して該ベースバンド・トランシーバに連結され、ＣＡＴＶネットワーク・インターフェイスを介して下流のＩＦで受信された下流のセルラ電話通信信号を下流のベースバンド電話信号に変換し、かつ実接続を介して下流のベースバンド電話信号をベースバンド・トランシーバに伝達するように適合された、ＩＦ／ベースバンド・コンバータを具備する電話装置。
【請求項６４】
ＩＦ／ベースバンド・コンバータはベースバンド・トランシーバから上流のベースバンド電話信号を受信し、上流のベースバンド電話信号を上流のＩＦセルラ信号に変換し、および上流のＩＦセルラ信号をＣＡＴＶネットワーク・インターフェイスを介して上流に伝達するように適合された、請求項６３記載の装置。
【請求項６５】
セルラ電話ネットワーク内で動作する基地局トランシーバ・システム（ＢＴＳ）から有線テレビジョン(ＣＡＴＶ)ネットワークを介して下流の中間周波数（ＩＦ）で伝送された下流のセルラ電話通信信号を受信するようにＣＡＴＶネットワーク・インターフェイスをＣＡＴＶネットワークに連結し、
実接続を介して、ＩＦ／ベースバンド・コンバータを、ベースバンド電話信号を送受信するように適合されたベースバンド・トランシーバに接続し、
ＩＦ／ベースバンド・コンバータにおいて下流のＩＦで下流の通信信号を受信し、
ＩＦ／ベースバンド・コンバータにおいて下流の通信信号を下流のベースバンド電話信号に変換し、および
実接続を介して下流のベースバンド電話信号をベースバンド・トランシーバに伝達することを含む、電話信号を転送するための方法。
【請求項６６】
ＩＦ／ベースバンド・コンバータはベースバンド・トランシーバから上流のベースバンド電話信号を受信し、上流のベースバンド電話信号を上流のセルラＩＦ信号に変換し、および上流のセルラＩＦ信号をＣＡＴＶネットワーク・インターフェイスを介して上流に伝達するように適合された、請求項６５記載の方法。
【発明の詳細な説明】
【関連出願】
【０００１】
この出願は引用文献としてここに組み込まれる、２００２年２月７日に提出された米国特許仮出願番号第６０／３５５，２３５号の利益を主張する。
【技術分野】
【０００２】
本発明は一般に通信システムに関し、特に有線およびセルラ電話システムに関する。
【背景技術】
【０００３】
当分野には非常によく知られている多数の電話システムがある。最も古い、そして多分今なお最も広く使用されているシステムは、単純な電話機が導線を介して電話ネットワークに物理的に接続される公衆電話交換ネットワーク（ＰＳＴＮ）である。ＰＳＴＮへの拡大は典型的に住居または事務所内で使用される、コードレス電話システムを備え、そこでは携帯型電話機が住居内のコンソールと非有線の(unwired)方法で通信する。コンソールは単純な電話機の代わりにＰＳＴＮに有線接続(wired)され、そしてコンソールと携帯電話機との間の通信は、赤外線搬送波を使用するような他の方法も当分野において知られてはいるが、一般に無線周波数（ＲＦ）搬送波を介している。
【０００４】
有線テレビジョン（ＣＡＴＶ）システムはまた、ＰＳＴＮ電話信号を転送するためのもう１つの有線システムとして使用されることができる。ＣＡＴＶシステムはそれのアップリンク側でＰＳＴＮに連結される。そのダウンリンク側で、例えば住居または事務所環境内では、地上有線電話機(landline  telephone)がモデムを介してＣＡＴＶシステムに連結されてもよい。ＣＡＴＶシステムは、ＣＡＴＶシステム内でのテレビジョン信号伝送用には使用されない１つの搬送波を使用して、ＣＡＴＶケーブルを介してＰＳＴＮ電話信号を伝達する。
【０００５】
セルラ電話システムは中央基地局と通信する非有線の(non−wired)移動セルラ電話機を使用する。移動電話機と基地局との間の通信はセルラＲＦ搬送波を介しており、このセルラＲＦ搬送波は種々の周波数でのものであり、コードレス電話システムのＲＦ搬送波よりも本質的により大きいパワーを有する。なお、セルラ電話機は無線接続を介してのみ接続することができ、そしてそれらのセルラ・ネットワークに実接続はできない。よって、セルラ電話機に有線テレビジョン・ネットワークを通して関連するセルラ・ネットワークと通信させる方法および装置であることはその点で有利となるであろう。
【発明の開示】
【発明が解決しようとする課題】
【０００６】
方法および装置は、セルラ電話機が有線テレビジョン・ネットワークを介してそのセルラ・ネットワークと通信することを可能にすることを開示する。開示された方法および装置は公衆電話交換ネットワーク（ＰＳＴＮ）電話機およびセルラ電話機の動作を統一する。
【課題を解決するための手段】
【０００７】
開示された方法および装置の１実施形態では、コンソールはセルラ移動電話機のための“ドッキング(docking)”局として作動する。このコンソールは有線テレビジョン・ネットワークのような有線ネットワークを介して、移動電話機が動作するかまたは動作することが可能なセルラ・ネットワークの基地局に接続される。コンソールと基地局とはケーブル・ネットワークと適合する中間周波数（ＩＦ）搬送波を介して通信する。第１の動作モードでは、電話機はコンソール内で、“ドック”され、そして電話機インターフェイスとして作動するドッキング・レセプタクルにより、電気的におよび物理的にコンソールに接続される。１実施形態では、電話機と基地局とはケーブル・ネットワークを介して通信し、そして事実上移動電話機からの無線周波数（ＲＦ）放射はない。ＩＦとＲＦとの間の変換はコンソール内の信号変換回路により行われる。
【０００８】
もう１つの実施形態では、電話機がコンソールからアンドックされて(undocked)、このコンソールに比較的近い時には、この電話機は非常に低レベルのＲＦパワーのみを使用するように、電話機と基地局とはこのコンソールを介して通信する。
【０００９】
なおもう１つの実施形態では、電話機は上記されたどちらかの方法で敢えてコンソールに接続されてもよい。さらに、電話機はセルラ・ネットワーク内での電話機の“標準”動作モードに相当するモードを有する。この標準モードはセルラ電話機がコンソールの範囲外にある時にアクティブである。この標準モードでは、電話機は“大気中送信(over the air)で基地局と通信するか、またはこのセルラ・ネットワークのもう１つの基地局と通信してもよい。
【００１０】
セルラ電話機を受け入れることができ、そしてケーブル・ネットワークを介して基地局と通信できるコンソールを提供することにより、この電話機はコードレス電話機および移動電話機の両者として作動することができる。さらに、コードレス電話機として作動する時には、この電話機からのＲＦ放射は事実上存在しないか、あるいは電話機がその標準モード内で動作している時のＲＦパワー・レベルと比較して実質上低減される。
【００１１】
開示された方法および装置の１実施形態では、コンソールは１台より多い移動電話機を受け入れるように適合され、１台またはそれ以上の余分な電話機が音声および／またはデータのような音声以外の通信を可能にする車両として作動する。代替としてまたは追加として、コンソールはコンピュータあるいは１台またはそれ以上の地上有線電話機のような他の通信装置に連結されることが可能なローカル通信センタとして作動することができる。開示された方法および装置のある実施形態では、コンソールは、それの１台またはそれ以上の移動電話機と共に、テレビ電話機(video phone)として作動する。そのような場合には、コンソールはビデオ・カメラを組み込むか、あるいは画像を伝送するために、カメラ信号を受信することに適合している。受信されたビデオ画像はケーブル・ネットワークに連結されたテレビジョン上に投影される。
【００１２】
開示された方法および装置の１実施形態では、コンソールはコンソールのみがセルラ・ネットワーク内で電話機として機能することを可能にするモバイル・サイト・モデム（ＭＳＭ）を備える。これらの実施形態では、コンソールは、有線またはコードレス・モードで動作し、そしてオプションとしてスピーカを備え、１つのセルラ電話機として作動することができる。コンソール内にドックされる移動電話機は、別個の、第２のセルラ電話機として作動することができ、２台の電話機は異なる番号を有し、そして好ましくは異なるＩＦ搬送波、および／またはチャネルおよび／またはタイム・スロットにより基地局と通信する。オプションとして、ユーザはこの番号にプライオリティを割り当て、および／またはこの番号の間の自動的な移転を実施できる。
【００１３】
開示された方法および装置の１実施形態では、コンソールはＰＳＴＮに接続される。コンソールはＰＳＴＮ呼およびセルラ呼の両者を受信することができ、作成することができる。同様に、コンソールに連結された電話機、コンソールに物理的に連結されたかあるいはコンソールに無線的に連結されたセルラ電話機かＰＳＴＮ電話機のどちらかは、セルラ呼かＰＳＴＮ呼のどちらかを発信するか受信することができる。最も好ましくは、コンソールはまた、セッション開始プロトコル（ＳＩＰ）呼がコンソールで、そしてコンソールに連結されることができるＳＩＰ電話機を含む電話機により発信されそして受信されることができるように、ＳＩＰゲートウェイとして動作するようにも構成される。
【００１４】
開示された方法および装置は、図面と共に取られる以下の詳細説明からもっと完全に理解されるであろう。
【発明を実施するための最良の形態】
【００１５】
図１を参照すると、開示された方法および装置の１実施形態による有線セルラ・システム３０の概要図が示される。システム３０の上流側で、またケーブル連結のＢＴＳと呼ばれる、セルラ・ネットワーク基地局トランシーバ・システム（ＢＴＳ）３８はＢＴＳ周波数コンバータ４０を介して有線テレビジョン（ＣＡＴＶ）放送ネットワーク４２のケーブリング・システム４４に連結される。ケーブリング・システム４４は、同軸ケーブルおよび／または光ファイバ・ケーブル、あるいはそのような方法の組合わせのような、当分野で知られているいずれかのケーブリング法を備える。ＢＴＳ３８は中間周波数（ＩＦ）信号によりケーブリング・システム４４と直接通信し、即ち、ＢＴＳはＩＦセルラ下流信号を送信し、そしてＩＦセルラ上流信号を受信する。好ましくは、上流および下流ＩＦ信号はコンバータ４０により無線周波数（ＲＦ）セルラ信号におよび無線周波数（ＲＦ）セルラ信号から変換される。中間周波数はそれらがＣＡＴＶネットワークにより提供された他のサービスに干渉しないように選択される。たとえＩＦ信号よりも高い周波数のものであることがＲＦ信号にとって普通であるとしても、ケーブル・ネットワークを通した使用のために選択されたＩＦ信号はセルラ信号の無線周波数よりも高いか低いかのどちらであってもよい。ＢＴＳの上流で、ＢＴＳは、当分野で知られているいずれかの手段により、セルラ・ネットワーク３４および、イーサネット（登録商標）・ネットワーク３６や公衆電話交換ネットワーク(ＰＳＴＮ)３２のようなセルラ・ネットワークに連結された他の上流の素子と通信する。ＢＴＳ３８およびコンバータ４０の動作は、以下により詳細に記述されるように、なかんずく、使用されるべきＩＦ周波数を選択することができるシステム・コントローラ４３の全制御下にある。
【００１６】
開示された方法および装置の実施形態が、符号分割多重アクセス（ＣＤＭＡ）システム、時分割多重アクセス（ＴＤＭＡ）システム、周波数分割多重アクセス（ＦＤＭＡ）、および／またはこれらと当分野において知られている他の通信システムとの組合わせを含む、いずれかのセルラ通信システムのために実施されることができることは認識されるであろう。
【００１７】
ＢＴＳ３８はそれの下流側でＩＦを使用しているケーブル４１を介して通信するので、ＢＴＳおよびＢＴＳコンバータ４０が標準ＢＴＳの“ストリップド・ダウン(stripped‐down)”版として実施されてもよいこともまた、認識されるであろう。最も好ましくは、ストリップド・ダウンＢＴＳは、ＩＦ信号を使用しているＣＡＴＶケーブリング・システム４４と通信するセル・サイト・モデム（ＣＳＭ）を備える。オプションとして、１つより多いＣＳＭは、もしも１つより多いＩＦ搬送波が使用されるならば、好ましくは１つのボード上に搭載されて、使用されてもよい。１つより多いＩＦ搬送波が使用されてもよいときの状態は以下に記述される。
【００１８】
事務所のような、システム４４が連結されるいずれか他のエンティティ(entity)は有線ＴＶ受信器として作動することができるが、ＣＡＴＶケーブリング・システム４４はそれの下流側で、典型的に居住ユニットである個々の有線ＴＶ受信器に連結される。各有線ＴＶ受信器はケーブルによりＣＡＴＶケーブリング・システム４４に連結される。ここに、実例によって、それぞれケーブル４６および４８によりシステム４４に連結されている、２軒の通常同種の住居５０と５４とは有線ＴＶ受信器として動作する。
【００１９】
住居５０はケーブル４６に連結されたコンソール５２を有し、そして住居５４はケーブル４８に連結された通常同種のコンソール５６を有するので、システムの下流側でシステム４４からの各ケーブルを終端するのはコンソールである。以下にさらに詳しく記述されるように、システム４４から受信された下流のＩＦセルラ信号は下流のＲＦセルラ信号に変換されるので、そして上流のＲＦセルラ信号は上流のＩＦセルラ信号に変換されるので、各コンソールはセルラ信号コンバータとして作動する。各コンソール５２と５６とはコンソールとそれぞれのセルラ電話機６０および５８との間で信号を転送することに適合している。
【００２０】
図２は開示された方法および装置の１実施形態による、住居５０でのシステム３０の素子、および素子間の接続を示す概要図である。ケーブル４６に連結された分割器／結合器(splitter/combiner)７０はシステム４４からのＣＡＴＶ信号を分離し、そしてこの信号をテレビジョン８２に伝達する。分割器／結合器７０はまたＣＡＴＶネットワーク・インターフェイス５１を介して住居５０内のコンソール５２へおよびコンソール５２からＩＦセルラ信号を伝達する。図２に示されるように、１台より多い通常同種のコンソール５２と、このコンソールの下流側に連結された素子とは、分割器/結合器７０に連結されてもよい。実例によって、２台のそのようなコンソール５２が図２に示される。
【００２１】
コンソール５２は、順番にＩＦダイプレクサ７５、１個またはそれ以上の局部発振器７３、およびＲＦダイプレクサ７７から成る信号変換回路７２を備える。回路７２は下流のＩＦセルラ信号を下流のＲＦセルラ信号に変換し、そして上流のＲＦセルラ信号を上流のＩＦセルラ信号に変換する。調整可能な増幅を有する下流のＲＦ増幅器８３は、下流のＲＦセルラ信号を増幅する。下流のＲＦ信号検出器８４は回路７２により発生された下流のＲＦセルラ信号のレベルを測定する。また、調整可能な増幅を有する上流の増幅器８５は、上流のＩＦセルラ信号を増幅し、そして上流の信号検出器８６は上流のＩＦセルラ信号のレベルを測定する。最も好ましくは、上流のＩＦと下流のＩＦ周波数とが個別に設定されることができるように、１個またはそれ以上の局部発振器７３はそれの周波数がコントローラ７６により制御されるか、あるいは（図６を参照して下に例示されるように）そのコンソール内のもう１つのコントローラにより制御される２台の発振器を備える。コンソール５２はドッキング・レセプタクル７９を備え、ドッキング・レセプタクル７９はＲＦダイプレクサ７７に連結され、そしてこのダイプレクサに上流のＲＦセルラ信号を送信し、そしてこのダイプレクサから下流のＲＦ信号を受信する。
【００２２】
ドッキング・レセプタクル７９はセルラ電話機６０を受け入れるように構成されて、以下に記述されるように、電話機インターフェイスとして作動する。コンソール５２の第１の動作モードに対応して、電話機６０がレセプタクル７９にドックされると、コンソール５２は電話機６０のアンテナ９０からの上流および下流のＲＦ信号を、電話機の内部回路９２へおよび内部回路９２から直接転換する(diverts)。コンソール５２はまたラウドスピーカ／マイクロフォン９６および、好ましくは、キーパッド９８を備える。このように、それのドックされた状態では、電話機６０は住居５０内へＲＦセルラ信号放射を放射することなくコンソール５２を介してＢＴＳ３８と通信することができる。ドックされた状態では、コンソール５２は最も好ましくは、増幅器８３と検出器８４とを使用して、下流のＲＦセルラ信号を前もってセットされた第１のモードの低いＲＦパワー・レベルに維持する。同様に、上流のＩＦセルラ信号は最も好ましくは、増幅器８５と検出器８６とを使用して、上流の閾値境界を越えるのを避けるように調整される。
【００２３】
最も好ましくは、それのドックされた状態では、電話機が、“ラウドスピーカ”電話機として有効に動作するように、電話機６０で発生されるであろうベースバンド信号はラウドスピーカ／マイクロフォン９６に迂回され、もしもキーパッド９８が実施されるならば、それからの呼はこのキーパッドから発信されてもよい。代替として、もしもキーパッド９８が実施されないならば、呼は電話機６０のキーパッドから発信されてもよい。このように、コンソール５２の第１の動作モードでは、コンソール―電話機結合(console‐telephone combination)は実質的に有線セルラ電話システムの部分として動作する。
【００２４】
コンソール５２はまたアンテナ９４を備える。コンソール５２の第１の動作モードでは、電話機６０がレセプタクル７９にドックされる時には、アンテナ９４はコンソール５２をこのコンソールと通信しているコードレス電話機として作動する内線電話機(extension telephone)７８に連結するように実施されることができる。最も好ましくは、アンテナ９４と内線電話機７８との間の通信は、コードレス電話機プロトコル、ブルートゥース(Bluetooth)・プロトコル、またはＩＥＥＥ８０２．１１プロトコルのような、当分野で知られているプロトコルによるものである。
【００２５】
コンソール５２はまた、電話機６０がレセプタクル７９から“アンドック”される時に有効な、第２の動作モードで動作するように実施される。第２の動作モードでは、電話機６０とコンソール５２との間の通信はアンテナ９０とアンテナ９４との間のＲＦセルラ信号により果たされる。ＲＦセルラ信号は、好ましくはアンテナ９０と９４とが互いに近接していることと矛盾がない、低いパワー・レベルに設定され、そして最も好ましくは近傍地域(near‐field)ＲＦセルラ放射信号である。代替として、この信号は遠方地域(far‐field)ＲＦセルラ信号か、または近傍地域および遠方地域信号の組合わせから成る。上述のドックされた状態に関する限りでは、第２のアンドック・モードにおいてコンソール５２は最も好ましくは、増幅器８３と検出器８４とを使用して、下流のＲＦセルラ信号を前もってセットされた第２のモードの低いＲＦパワー・レベルに維持し、そして増幅器８５と検出器８６とを使用して、上流のＩＦセルラ信号を上流の閾値境界を越えるのを避けるレベルに維持する。好ましくは、このレベルは実質的にシステム３０のおよび／またはコンソール５２の設置の時に固定される。オプションとして、このレベルはコントローラ７６により、および／またはＢＴＳ３８からの通信により、あるいは当分野で知られているいずれか他の手段により、変更されてもよい。
【００２６】
好ましくは、増幅器８３の利得は、コンソール５２から放射された前もってセットされた第２モードの低ＲＦパワー・レベルと、その結果として移動電話機６０から放射された上流のＲＦパワー・レベルとは両方とも低くそしてほぼ等しいように設定される。代替として、増幅器８３の利得は、ＣＡＴＶシステム４４内に放射されたノイズを最小にするように、移動電話機６０が増幅器８５において低利得を必要とする上流のＲＦ信号レベルを伝送するように設定される。
【００２７】
最も好ましくは、前もってセットされたレベルと増幅器８３および８５により提供された増幅利得とは、図４を参照して以下により詳細に記述されたように、ＢＴＳ３８とコンソール５２との間で使用された信号伝送法に関連して設定される。
【００２８】
もしもアンテナ９４が内線電話機７８と通信するために実施されたのであれば、このアンテナはこの内線電話機と通信することに適合するＲＦセルラ信号とＲＦ信号との両者を放射および受信するように実施されることは理解されるであろう。
【００２９】
最も好ましくは、コンソール５２がそれの第２の動作モードで動作する時には、アンテナ９０および９４のためのＲＦ放射レベルはコードレス電話機プロトコルのＲＦレベル以下であるように設定される。
【００３０】
第２の動作はモードはコードレス・セルラ電話機装置内で使用されている電話機６０とコンソール５２とに相当し、そして開示された方法および装置の実施形態では、上記の前もってセットされたレベルを含み、電話機およびコンソールにより使用されたＲＦパワー・レベルがコードレス電話システムにより伝送されたパワー・レベルと同じオーダか、またはより低いものであることは認識されるであろう。第２のモードは電話機６０とコンソール５２とが互いの範囲内にある間は動作し、その範囲はコンソールと電話機とが使用するＲＦパワー・レベルに依存している。最も好ましくは、電話機６０およびコンソール５２の両者のＲＦパワー・レベルは、住居内でまたは電話機とコンソールとが互いに前もってセットされた距離にある時に受信可能となるようにＲＦパワーのレベルを設定することによるような、コンソールが配置されるもう１つの位置で、電話機が動作することを可能にするように前もってセットされる。
【００３１】
コンソール５２の第１および第２の動作モードの両者において、通信する電話機とＢＴＳ３８との間に非常に小さい信号パワーの損失があることは理解されるであろう。また、典型的なセルラ通信に関連する多重レイリー・リフレクション(Rayleigh reflections)のような問題はない。このように、コンソール５２の両動作モードでは、ＲＦパワー増幅の要求は比較的小さい。
【００３２】
オプションとして、コンソール５２はコンピュータ８０がこのコンソールに連結されることを可能にするコントローラ７６を備える。もしもコントローラ７６が実施されると、それは最も好ましくは、当分野で知られているように、コンピュータ８０がセルラ・ビデオ伝送のような両立できるセルラ信号を送受信することを可能にする。
【００３３】
第３の動作モードでは、電話機６０は標準セルラ電話機として動作する。第３のモードは、電話機６０が第２のモードのために実施された電話機とコンソールとの間の範囲の外にある時に、典型的にはコンソールが置かれる住居または事務所から電話機のユーザがその電話機を持ち出す時に、実施される(becomes operative)。第３のモードが動作している時には、コンソール５２からの送信は実質的に止められる。このように、電話機はＢＴＳ３８と、またはセルラ・ネットワーク３４内で動作しているもう１つのＢＴＳと、大気中送信（ＯＴＡ）で通信することができる。
【００３４】
開示された方法および装置のある実施形態では、コンソール５２自身は“孤立の(stand‐alone)”セルラ電話機として動作する。この場合、コンソール５２は電話機６０のそれと実質的に同じである回路７１を備え、および／またはそれはモバイル・サイト・モデム（ＭＳＭ）８１を含んでもよく、回路７１はＲＦ回路を使用してドッキング・レセプタクル７９の代わりに実施される。好ましくは、キーパッド９８とラウドスピーカ／マイクロフォン９６とはコンソール５２がケーブル４６を介してＢＴＳ３８と通信できるように実施される。代替としてまたは追加として、有線またはコードレス・ハンドセットがコンソール５２に連結されてもよい。回路７１がいかに実施されるかに依存して、コンソールとＢＴＳ３８との間の通信は直接ＩＦセルラ信号によるもの、またはＲＦおよびＩＦセルラ信号によるものであってもよいことは理解されるであろう。
【００３５】
開示された方法および装置のもう１つの実施形態では、コンソール５２は結合された孤立のおよび電話機６０用のドッキング・レセプタクルとして動作するように実施されることができる。この場合コンソール５２は２台の別個の電話機システム、コンソール自身用の１台と、電話機６０用の第２のシステムとをサポートするように実施される。２つのシステムは最も好ましくは異なる番号を有し、そしてこの番号は、例えば、もしも通話者が１つの番号上のユーザとコンタクトできないならばコンソールが他の番号に自動的に切り換えるように、コンソールのユーザにより優先順位をつけられてもよい。
【００３６】
図３は方法および装置の代替の実施形態による、コンソール１５２を示す概要図である。以下に記述された差異は別として、コンソール１５２の動作と実施の形態とは、コンソール５２と１５２の両者内で同じ参照数字により示された素子が構造においてそして動作において通常同じ(identical)であるように、コンソール５２(図１および２)のそれと通常同様で(similar)ある。コンソール１５２は、レセプタクルとしてそして高速データ・セルラ電話機１６０のための高速データ電話機インターフェイスとして作動する、通常ドッキング・レセプタクル７９と同様の、高速データ・ドッキング・レセプタクル１７９を含む。分割器／結合器１５４は、電話機１６０向きの高速データ・セルラ信号と電話機６０向きのセルラ信号とを分離するようにコンソール１５２内で実施される。
【００３７】
オプションとして、コンソール１５２は接続子１７２を備え、それはコンソールが電話機６０と１６０、および導線によりコンソールに連結された１つまたはそれ以上のＰＳＴＮ電話機１７０の間の構内電話交換(local telephone exchange)（ＰＢＸ）として作動することを可能にする。さらにオプションとして、コンソール１５２はビデオ・カメラ１９０を備え、および／または外部のビデオ・カメラからビデオ信号を受信することに適合し、それはコンソールがセルラ・テレビ電話機として使用されることを可能にする。コンソール１５２はビデオ・カメラからのビデオ映像を上流のＩＦセルラ信号上に転送するために実施される。テレビジョン８２（図２）、またはコンソール内に組み込まれたテレビジョン・スクリーン１８０のようなもう１つのテレビジョンは、テレビジョンとコンソール１５２との組合わせがテレビ電話リンクとして使用されることができるように、下流のＩＦセルラ信号からビデオ信号を受信することに適合している。好ましくは、ビデオ・カメラ１９０と接続子１７２とはコントローラ７６を介してレセプタクル７９および１７９に連結される。代替として、カメラと接続子とは、接続子、ビデオ・カメラ、およびレセプタクル７９と１７９との間の通信を制御するように作動するコントローラ７６と、直接連結される。さらに代替として、接続子１７２は、ファイヤワイヤ(firewire)・プロトコルのような、当分野で知られている1つまたはそれ以上の信号伝送プロトコルをサポートするように構成される。
【００３８】
コンソール５２または１５２は、なかんずく、特定のコンソールの帯域幅条件に依存して、コンソールとＢＴＳ３８との間でおのおのＩＦセルラ信号を１つより多いＩＦ搬送波上に転送するように実施されてもよいことは理解されるであろう。またコンソール５２およびコンソール５６(図１)のような、種々のコンソールが種々のＩＦ搬送波を使用してもよいことも理解されるであろう。典型的に、コンバータ４０内部の複数のＩＦラインにより図１に示されるように、ＢＴＳコンバータ４０および／またはＢＴＳ３８は種々様々なＩＦ搬送波で動作するように実施される。ＢＴＳ３８を動作させているコントローラによって、より容易に制御されるようにシステム３０の種々の領域／コンソールの間の信号をイネーブルにし、様々なＩＦ搬送波を使用しているシステム３０の動作が有利であることは認識されるであろう。
【００３９】
システム３０は典型的にケーブリング・システム４４によるセルラ・ネットワーク３４使用のために割り当てられている全ＩＦ帯域幅により動作し、この割り当てられた帯域幅はシステム４４により使用されたＣＡＴＶ信号の周波数と干渉しないように選択される。セルラ用に使用可能な全ＩＦ搬送波の中で、システム３０内で動作する各コンソールはそれの特別の動作のために比較的狭いＩＦ搬送波を必要とする。このように、様々なＩＦ搬送波で動作しているシステム３０もまた、より効果的に割り当てられるように帯域幅をイネーブルにする。好ましくは、システム３０内で動作するコンソールは選択可能なＩＦ搬送波を有し、特定のＩＦ搬送波はＬＯ７３(図２)の周波数を変更することにより選択される。最も好ましくは、特定のコンソールのＩＦ搬送波の選択は、ショート・メッセージング・システム（ＳＭＳ）・プロトコルのような、当分野で知られているいずれかのシステムで使用している、システム・コントローラ４３（図１）から発行されるコマンドにより制御される。追加としてまたは代替として、ＩＦ搬送波の選択は特定のコンソールによって実質的に独立して行われてもよい。
【００４０】
図４は方法および装置の１実施形態による、システム３０内で使用されることができるＩＦ搬送波を示す概要グラフ２００である。グラフ２００は１つの広ＩＦ搬送波２０８と、複数の狭ＩＦ搬送波とを示し、狭ＩＦ搬送波の数は１より大きいもう１つの自然数(whole number)であってもよいことは理解されるが、実例として３つの狭ＩＦ搬送波２０２，２０４、および２０６によって図示される。
【００４１】
通信の第１の方法では、ＢＴＳ３８とコンソール５２とは下流と上流との両信号のために広ＩＦ搬送波２０８を使用する。第２の方法では、広ＩＦ搬送波２０８が下流の伝送のために使用され、そして狭ＩＦ搬送波２０２、２０４、または２０６の１つが上流の伝送のために使用される。第２の方法では、コンソール５２は最も好ましくは狭ＩＦ搬送波の１つをランダム・ベースで選択するように構成される。第３の方法では、コンソールは上流および下流の伝送のために狭ＩＦ搬送波の１つをランダム・ベースで選択する。
【００４２】
ＢＴＳ３８とコンソール５６との間の伝送のために使用される方法は、好ましくはシステム３０の容量を最大化するように選択される。最も好ましくは、この方法はまた、図２を参照して上述されたように、システム３０の動作を最適化し、そしてＣＡＴＶシステム４４内に放射されたノイズを最小化するように、伝送されたパワー・レベルおよび必要な増幅の考慮に関連して選択される。
【００４３】
図５は開示された方法および装置のもう１つの実施形態による、コンソール２５２を示す概要図である。下に記述された差異は別として、コンソール２５２の動作は、コンソール５２と２５２の両者内で同じ参照数字により示された素子が構造においてそして動作において通常同じであるように、コンソール５２（図１および２）のそれと通常同様である。ケーブル４６およびケーブリング・システム４４によりＢＴＳ３８に連結されることに加え、コンソール２５２はＰＳＴＮライン・イン２５６とＰＳＴＮライン・アウト２５８とを介してＰＳＴＮネットワーク２８０に連結され、後者は順番に１つまたはそれ以上のＰＳＴＮ電話機２７０に接続される。コンソール２５２はサービス・スイッチ・ユニット２５４を備え、それはライン２５６および２５８をセルラ電話機６０およびドッキング・レセプタクル７９に接続し、それはコンソール２５２のために使用できるセルラおよびＰＳＴＮサービスの間を切り換え、そしてそれはＰＳＴＮインターフェイスとして作動する。
【００４４】
サービス・スイッチ・ユニット２５４はコンソール２５２が入セルラおよびＰＳＴＮ呼を受信し、そして出セルラおよびＰＳＴＮ呼を作成することを可能にする。ユニット２５４は図６を参照して以下により詳細に記述される。コンソール２５２が空き状態にある時、即ち、コンソールが入呼を受信していない、出呼を発信していない、またはオープン・コール(open call)を持たない時に、ユニット２５４は好ましくは（ライン２５６を介して受信した）入ＰＳＴＮ呼を１つまたはそれ以上のＰＳＴＮ電話機２７０に送る。代替としてまたは追加として、コンソール２５２は電話機６０が入ＰＳＴＮ呼を受信するように実施される。同様に、コンソール２５２が空き状態にありそしてケーブル４６を介して入セルラ呼が受信される時には、その呼も好ましくは１つまたはそれ以上のＰＳＴＮ電話機２７０に送られる。代替としてまたは追加として、入ＰＳＴＮ呼に関する限りでは、入セルラ呼は電話機６０に送られる。電話機６０がレセプタクル７９にドックされる時または電話機がレセプタクルからアンドックされる時にはコンソール２５２は空き状態にあることができることは理解されるであろう。どのタイプの呼が受信されるかによって、コンソール２５２はセルラ・ネットワーク３４またはＰＳＴＮネットワークに、セルラまたはＰＳＴＮ呼が応答されていること、および使用されていないサービスにアクセスさせている間はそれぞれのサービスが使用されていることを知らせる。
【００４５】
最も好ましくは、コンソール２５２は、ユーザがセルラ呼としてまたはＰＳＴＮ呼として入呼を識別するためにベルを聞くことを可能にするリングトーンのような、入呼を表示する区別的な可視および／または可聴信号を発生する。
【００４６】
コンソール２５２が空き状態にある時には、ユニット２５４は最も好ましくは、ユーザが電話機をオフフックであるようにセットすることにより開始されて、電話機２７０の１つから発呼された呼を、ライン・アウト２５８に送る。代替として、ユーザが初めに空き状態にあるコンソール２５２を介して、電話機２７０からセルラ呼を発生させようと思えば、＊＊のような、所定のコードをダイヤルすることにより、そのような要求を電話機２７０からコンソールに伝えることができる。コンソール１５２を参照して上述されたように、もしもコンソール２５２が１つより多いセルラ・ラインを備えるならば、そのとき所定のコードは、＊＊１または＊＊２のような、選択された特定のラインを識別する形のものであってもよい。
【００４７】
もしも電話機２７０の１つがＰＳＴＮ呼にオフフックである間に入セルラ呼が受信されれば、コンソール２５２はその入呼の受信の表示を発生し、その表示は、いずれか他の可聴および／または可視表示が使用されてもよいが、好ましいのはオフフック電話機２７０への“フラッシュ”トーンである。同様に、もしも電話機２７０の１つがオープン・セルラ呼を有する間に入ＰＳＴＮ呼が受信されれば、またフラッシュ・トーンが発生される。
【００４８】
最も好ましくは、コンソール２５２はＰＳＴＮ電話機２７０とセルラ電話機６０との両者により提供される当分野において知られているサービスを統合する。例えば、コンソール２５２は電話機６０内のメモリ２６２を走査することができ、そして最も好ましくは電話機２７０からコンソールに発行されるコマンドにより、このメモリから電話機２７０にデータを供給する。コマンドは電話機２７０からのキーストロークによってもよい。メモリ２６２内に蓄積されたデータは好ましくは蓄積された電話帳のような情報を備える。最も好ましくは、電話機２７０はそれがコマンドの結果を表示することを可能にする図形(graphic)インターフェイス２７２を備える。統合されてもよいサービスは、これには限定されないが、コール・ウェイティング、スピード・ダイヤル、ボイス・コマンド、通話者識別、およびスモール・メッセージング・システム（ＳＭＳ）・メッセージを含む。
【００４９】
開示された方法と装置とが１つより多いコンソール５２、１５２および２５２からの特徴を組み合わせて有するコンソールを含むことは理解されるであろう。そのような組合わせは、これに限定されないが、コンソール１５２を参照して記述されるように、複数のセルラ電話機および／またはビデオ・カメラを有する合成(combined)コンソール、コンソール２５２を参照して記述されるように、ＰＳＴＮおよびセルラ発呼(calling)能力をも有する合成コンソールを含む。他の組合わせは当分野の技術者には明白であるであろう。すべての組合わせが開示された方法および装置の範囲内にあることは理解される。
【００５０】
図６は開示された方法および装置の１実施形態による、サービス・スイッチ・ユニット２５４の概要ブロック図である。ライン・イン・インターフェイス３０４はＰＳＴＮライン・イン２５６の存在、およびそのライン上の信号を検出するライン検出器３１２を備える。このインターフェイスはまたコンソール２５２、またはこのコンソールに連結された電話機がオープン・セルラ呼に従事している時に入ＰＳＴＮ呼を感知するリング検出器３１０を含む。インターフェイス３０４はまたセルラ呼がコンソール２５２により作成される時にオフフック状態になるオン／オフ・フック回路３１４を備える。
【００５１】
ライン・アウト・インターフェイス３０８はＰＳＴＮネットワーク２８０の部分として動作するためにライン・アウト２５８のためのすべての構成要素を実質的に備える。インターフェイス３０８はライン２５８に連結された電話機２７０に電力を供給する電力供給源３２０、電話機から受信された２多重周波数(dual multi frequency)（ＤＴＭＦ）トーンを検出して翻訳するＤＴＭＦ検出器３２２、電話機から受信されたフラッシュ・トーンを検出するフラッシュ検出器３２４、および電話機のためのフラッシュ・トーンを発生するフラッシュ発生器３２６を備える。インターフェイス３０８は電話機２７０の動作状態に従ってオンフックおよびオフフック状態の間を切り換えるオン／オフ回路３２８を備える。インタフェイス３０８はまたＰＳＴＮライン・アウト２５８の存在、およびそのライン上の信号を検出するライン検出器３３０、リング発生器３３２、および電話機２７０の状態を検出するオン／オフ・フック検出器３３４を備える。
【００５２】
セルラ電話機インターフェイス３０２はドッキング・レセプタクル７９間を連結すること、ライン２５６および２５８上の信号と電話機６０と適合する信号との間を変換することを提供する。少なくともインターフェイス３０２の部分がレセプタクル７９に組み込まれてもよいことは理解されるであろう。ライン・スイッチ３０６は、スイッチ・コントローラ３００の制御下で、インターフェイス３０４、３０２、および３０８の間の切換えを行う。コントローラ３００はスイッチ２５４の全体のコントローラとして作動し、インターフェイスから信号を受信し、そしてそれのための信号を発生する。コントローラ３００とコントローラ７６との少なくともいくつかの機能はコントローラ間で転送れてもよく；例えば、コントローラ３００は少なくとも回路７２により使用されたＩＦ周波数、および／またはこの回路により発生されたＲＦパワー・レベルを部分的に制御することを実施してもよい。
【００５３】
図７は開示された方法および装置の１実施形態による、コンソール３５２を示す概要図である。以下に記述された差異は別として、コンソール３５２の動作は、コンソール３５２と２５２との両者内で同じ参照数字により示された素子は構造においてそして動作において通常同じであるように、コンソール２５２(図５)のそれと通常同様である。むしろサービス・スイッチ・ユニット２５４により行われているＰＳＴＮライン２５８上のすべてのスイッチングよりは、ブレーカ・ボックス３５０はそのユニットのインターフェイス３０４内にラインを収容し、電話機２７０がセルラ呼を発信している時にＰＳＴＮラインを切断して、このインターフェイスの全機能を実質的に行う。ブレーカ・ボックス３５０は電話機２７０とＰＳＴＮネットワーク２８０との間に設置され、そしてＰＳＴＮネットワーク２８０からの所定の＊＊トーンやリング・トーンのような信号を検出するために実施され、そしてまた電話機２７０へのフラッシュ・トーンを発生するために実施される。ブレーカ・ボックス３５０を使用することはユーザに、ブレーカ・ボックスとは別に、ライン・アウト２５８上のいずれかの位置にコンソール３５２を設置させる。
【００５４】
図８は開示された方法および装置の１実施形態による、代替の有線セルラ・システム４００を示す概要図である。以下に記述された差異は別として、システム４００の動作は、システム３０と４００との両者内で同じ参照数字により示された素子は構造においてそして動作において通常同じであるように、システム３０（図１―７）のそれと通常同様である。システム４００では基地局コントローラ（ＢＳＣ）４０４はセルラ・ネットワーク３４内のＢＴＳ３８を制御してそれと通信する。ＢＳＣはまた移動交換局（ＭＳＣ）４１４とビジタ・ロケーション・レジスタ（ＶＬＲ）とを介してＰＳＴＮ３２と通信し、そしてＰＳＴＮ３２はＰＳＴＮ電話機４１０に接続される。ＰＳＴＮ３２と電話機４１０との間の通信はサービス総合ディジタル網（ＩＳＤＮ）接続を介してもよい。
【００５５】
ＢＳＣ４０４は、ゲートウェイ４０６を介して、インターネットのような、パケット交換ネットワーク４０２に連結される。ゲートウェイ４０６はパケット・データ・サービング・ノード（ＰＤＳＮ）、ゲートウェイ・全般的な―パケット―無線―サービス（ＧＰＲＳ）サポート・ノード（ＧＧＳＮ）、および／またはサービングＧＰＲＳサポート・ノード（ＳＧＳＮ）、またはこれらのいずれかの組合わせあるいはＢＳＣ４０４がネットワーク４０２と適合するパケットを送受信することを可能にするいずれか他のノードを備える。
【００５６】
なかんずく、ネットワーク４０２は第１のセッション開始プロトコル（ＳＩＰ）電話機４１２に連結され、それはコメント用要求（ＲＦＣ）３２６１内で定義され、そしてインターネット協会のネットワーク・ワーキング・グループにより公布された、ＲＦＣ３２６１に更新する転送プロトコルによる、ネットワーク４０２を介してＳＩＰ呼を受信および発信することができる。ＲＦＣ３２６１はｆｔｐ：／／ｆｔｐ．ｒｆｃ―ｅｄｉｔｏｒ．ｏｒｇ／ｉｎ―ｎｏｔｅｓ／ｒｆｃ３２６１／ｔｘｔで知ることができる。
【００５７】
コンソール５２はこのコンソールがＳＩＰゲートウェイとして作動することを可能にするＳＩＰ回路４２０を含む。コンソール５２はまた、電話機１７０として図３を参照して、または電話機２７０として図５を参照して実質的に上述されたように、ＰＳＴＮ電話機４１８に連結される。このように、呼はセルラ電話機６０とＳＩＰ電話機４１２との間で、またはＰＳＴＮ電話機４１８とＳＩＰ電話機４１２との間で発信されてもよい。代替としてまたは追加として、ＳＩＰ回路４２０はコンソール５２に接近して配置された第２のＳＩＰ電話機４２２と通信するように構成され、この場合にＳＩＰ呼は電話機４２２からコンソールを介して配置されてもよい。さらに代替としてまたは追加として、ＰＳＴＮ電話機４１０はＳＩＰ呼を発信および受信するように実施されてもよい。
【００５８】
図９は開示された方法および装置の１実施形態による、コンソール４５２を示す概要図である。以下に記述された差異は別として、コンソール４５２の動作と実施の形態とは、コンソール２５２および４５２の両者内で同じ参照数字により示された素子が構造においてそして動作において通常同じであるように、コンソール２５２（図５）のそれと通常同様である。最も好ましくは、コンソール４５２はコンバータ７２またはドッキング・レセプタクル７９を含まない。オプションとして、コンソール４５２は、図１および図２を参照して上述されたように実質的に動作する、コンバータ７２とドッキング・レセプタクル７９とを含んでもよい。
【００５９】
コンソール４５２はＩＦベースバンド・コンバータ回路４５８を備える。回路４５８は、ＣＡＴＶネットワーク・インターフェイス５１から受信された下流のＩＦセルラ信号を下流のベースバンド信号に直接変換することができる、ＩＦ対ベースバンド・コンバータ４５４を備える。回路４５８はまた、上流のベースバンド信号を上流のＩＦセルラ信号に変換する、ベースバンド対ＩＦコンバータ４６０を備える。コンバータ４５４と４６０とは順番にサービス・スイッチ・ユニット２５４に連結されるモバイル・サイト・モデム（ＭＳＭ）４５６に連結される。コンバータ４５４と４６０、およびモデム４５６は、当分野で知られている。好ましくは、コンソール４５２はベースバンド・トランシーバとして作動するラウドスピーカ／マイクロフォン９６およびキーパッド９８（図２）を備える。代替としてまたは追加として、ＭＳＭ４５６はサービス・スイッチ・ユニット２５４を介して、電話機２７０のような、ベースバンド・トランシーバとして作動する他の構成要素に連結される。このように、回路４５８はコンソールが孤立したセルラ電話機として動作することを可能にする。
【００６０】
オプションとして、コンソール４５２は、実質的に図２を参照して上述されたように、コンソールが内線電話機７８と通信する無線電話機として動作することを可能にするアンテナ９４を備える。
【００６１】
上述された好ましい実施形態は実例により例証されること、および本発明は上文に特に示されそして記述されたものに限定されないことは認識されるであろう。むしろ、本発明の範囲は、それの変形および修正は勿論のこと、上文に記述された種々の特徴の組合わせおよび部分組合わせの両者を含む。
【図面の簡単な説明】
【００６２】
【図１】本発明の好ましい１実施形態による、有線セルラ・システムを示す概要図。
【図２】本発明の好ましい１実施形態による、住居内の図１のシステムの素子を示す概要図。
【図３】本発明の代替の好ましい１実施形態による、図１のシステム内で動作するコンソールを示す概要図。
【図４】本発明の好ましい１実施形態による、図１のシステム内で使用されることができる中間周波数搬送波を示す概要グラフ。
【図５】本発明の好ましい１実施形態による、代替のコンソールを示す概要図。
【図６】本発明の好ましい１実施形態による、サービス・スイッチ・ユニットの概要ブロック図。
【図７】本発明の好ましい１実施形態による、さらに代替のコンソールを示す概要図。
【図８】本発明の好ましい１実施形態による、代替の有線セルラ・システムを示す概要図。
【図９】本発明の代替の好ましい１実施形態による、コンソールを示す概要図。
【符号の説明】
【００６３】
３２…ＰＳＴＮ、３４…セルラ・ネットワーク、３６…イーサネット（登録商標）、３８…ＢＴＳ、４０…コンバータ、４２…ＣＡＴＶ放送、４３…システム・コントローラ、５２，５６…コンソール
【図１】
2005526424.tif 000003
【図２】
2005526424.tif 000004
【図３】
2005526424.tif 000005
【図４】
2005526424.tif 000006
【図５】
2005526424.tif 000007
【図６】
2005526424.tif 000008
【図７】
2005526424.tif 000009
【図８】
2005526424.tif 000010
【図９】
2005526424.tif 000011
【国際調査報告】
2005526424.tif 000012
2005526424.tif 000013
2005526424.tif 000014